(57)【要約】【課題】  爪の手入れに適した爪切りを提供する。【解決手段】  爪切り１は、上板部材１０、下板部材２０、操作レバー３０、爪ヤスリ４２（第１の爪ヤスリ）、及び爪ヤスリ４４（第２の爪ヤスリ）を備えている。上板部材１０は、上刃１２を有している。下板部材２０は、上刃１２に対向する下刃２２を有するとともに上板部材１０に接続されている。操作レバー３０は、梃子の原理により上板部材１０に下向きの力を与え、上刃１２が下刃２２に接するまで上板部材１０を変位させる。爪ヤスリ４４は、爪ヤスリ４２とは異なる目の粗さを有している。【選択図】  図１
2017140519.tif 000002
【特許請求の範囲】
【請求項１】
上刃を有する上板部材と、
前記上刃に対向する下刃を有するとともに前記上板部材に接続された下板部材と、
梃子の原理により前記上板部材に下向きの力を与え、前記上刃が前記下刃に接するまで当該上板部材を変位させる操作レバーと、
第１の爪ヤスリと、
前記第１の爪ヤスリとは異なる目の粗さを有する第２の爪ヤスリと、
を備えることを特徴とする爪切り。
【請求項２】
請求項１に記載の爪切りにおいて、
前記第１及び第２の爪ヤスリの少なくとも一方は、前記操作レバーに設けられている爪切り。
【請求項３】
請求項２に記載の爪切りにおいて、
前記第１及び第２の爪ヤスリの双方が、前記操作レバーに設けられている爪切り。
【請求項４】
請求項３に記載の爪切りにおいて、
前記第１及び第２の爪ヤスリは、前記操作レバーにおける相異なる面上に設けられている爪切り。
【請求項５】
請求項４に記載の爪切りにおいて、  
前記操作レバーにおける使用時に前記上板部材に対向する面を対向面とし、前記操作レバーにおける前記対向面と反対側の面を非対向面としたとき、
前記第１及び第２の爪ヤスリの一方が、前記操作レバーの前記対向面上に設けられ、
前記第１及び第２の爪ヤスリの他方が、前記操作レバーの前記非対向面上に設けられている爪切り。
【請求項６】
請求項５に記載の爪切りにおいて、
前記第１及び第２の爪ヤスリのうち比較的細かい目を有する方が、前記操作レバーの前記対向面上に設けられ、
前記第１及び第２の爪ヤスリのうち比較的粗い目を有する方が、前記操作レバーの前記非対向面上に設けられている爪切り。
【請求項７】
請求項３に記載の爪切りにおいて、
前記第１及び第２の爪ヤスリは、前記操作レバーにおける同一の面上に設けられている爪切り。
【請求項８】
請求項７に記載の爪切りにおいて、
前記操作レバーにおける使用時に前記上板部材に対向する面を対向面とし、前記操作レバーにおける前記対向面と反対側の面を非対向面としたとき、
前記第１及び第２の爪ヤスリは、前記対向面又は前記非対向面上に設けられている爪切り。
【請求項９】
請求項８に記載の爪切りにおいて、
前記第１及び第２の爪ヤスリは、前記非対向面上に設けられている爪切り。
【請求項１０】
請求項１乃至９の何れかに記載の爪切りにおいて、
前記第１及び第２の爪ヤスリとは異なる目の粗さを有する第３の爪ヤスリを備える爪切り。
【請求項１１】
請求項１０に記載の爪切りにおいて、
前記第３の爪ヤスリは、前記上板部材又は前記下板部材に設けられている爪切り。
【請求項１２】
請求項１１に記載の爪切りにおいて、
前記第３の爪ヤスリは、前記下板部材の下面上に設けられている爪切り。
【請求項１３】
請求項１乃至１２の何れかに記載の爪切りにおいて、
前記上板部材と前記下板部材との間の空間を左右両側から覆うカバー部材を備える爪切り。
【請求項１４】
請求項１３に記載の爪切りにおいて、
前記カバー部材は、前記上板部材及び前記下板部材から前方に延出する爪切り。
【請求項１５】
請求項１４に記載の爪切りにおいて、
前記カバー部材は、前記上板部材及び前記下板部材の前方の空間を上下左右の四方から覆う爪切り。
【請求項１６】
請求項１５に記載の爪切りにおいて、
前記カバー部材の前端面には、指を挿入することが可能な開口が設けられている爪切り。
【請求項１７】
請求項１６に記載の爪切りにおいて、
前記開口の内寸幅は、前記上板部材及び前記下板部材の幅よりも大きい爪切り。
【請求項１８】
請求項１３乃至１７の何れかに記載の爪切りにおいて、
前記カバー部材は、前記上板部材及び前記下板部材の前方から当該上板部材及び当該下板部材に取り付けられる前側部材と、前記上板部材及び前記下板部材の後方から当該上板部材及び当該下板部材に取り付けられる後側部材とを含む爪切り。
【請求項１９】
請求項１８に記載の爪切りにおいて、
前記前側部材と前記後側部材とは、別体に設けられている爪切り。
【請求項２０】
請求項１９に記載の爪切りにおいて、
前記前側部材と前記後側部材とは、前記上板部材及び前記下板部材に取り付けられた状態で、互いに接する爪切り。
【請求項２１】
請求項１８乃至２０の何れかに記載の爪切りにおいて、
前記カバー部材は、自由端である先端と前記後側部材の下面に固定された固定端である後端とを有する開閉部材を含み、
前記開閉部材の前記先端は、前記上板部材及び前記下板部材の前方に延出する爪切り。
【請求項２２】
請求項１８乃至２０の何れかに記載の爪切りにおいて、
前記カバー部材は、前記後側部材の下面に沿って前後方向に変位するスライド部材を含み、
前記スライド部材を変位させることにより、当該スライド部材の先端が前記上板部材及び前記下板部材の前方に延出した状態と、当該スライド部材の前記先端が前記上板部材及び前記下板部材の前方に延出しない状態とが切り替えられる爪切り。
【請求項２３】
請求項１３乃至２２の何れかに記載の爪切りにおいて、
前記カバー部材は、透明である爪切り。
【請求項２４】
請求項１３乃至２３の何れかに記載の爪切りにおいて、
前記第１及び第２の爪ヤスリとは異なる目の粗さを有する第４の爪ヤスリを備える爪切り。
【請求項２５】
請求項２４に記載の爪切りにおいて、
前記第４の爪ヤスリは、前記カバー部材に設けられている爪切り。
【請求項２６】
請求項２５に記載の爪切りにおいて、
前記第４の爪ヤスリは、前記カバー部材の下面上に設けられている爪切り。
【発明の詳細な説明】
【技術分野】
【０００１】
本発明は、爪切りに関する。
【背景技術】
【０００２】
従来の爪切りとしては、例えば特許文献１に記載されたものがある。同文献に記載された爪切りは、上板部材（可動部材）、下板部材（固定部材）、及び板状の操作レバーを備えている。上板部材及び下板部材の先端は、それぞれ上刃及び下刃を構成している。上刃と下刃とは、互いに離間している。この爪切りは、操作レバーを押し下げると、上刃が下刃に接するまで上板部材が変位するように構成されている。上刃と下刃との隙間に爪の先端部を挿入した状態で操作レバーを押し下げることにより、上刃と下刃とで挟むようにして爪を切ることができる。
【先行技術文献】
【特許文献】
【０００３】
【特許文献１】特開２００５−３０４７９５号公報
【発明の概要】
【発明が解決しようとする課題】
【０００４】
上述の爪切りにおいては、操作レバーの片面に爪ヤスリが設けられている。そのため、切った後の爪に、爪ヤスリをかけることができる。しかしながら、爪ヤスリは、１種類しか設けられていないため、爪を手入れするには使い勝手の悪いものであった。
【０００５】
本発明は、上記課題に鑑みてなされたものであり、爪の手入れに適した爪切りを提供することを目的とする。
【課題を解決するための手段】
【０００６】
本発明による爪切りは、上刃を有する上板部材と、上記上刃に対向する下刃を有するとともに上記上板部材に接続された下板部材と、梃子の原理により上記上板部材に下向きの力を与え、上記上刃が上記下刃に接するまで当該上板部材を変位させる操作レバーと、第１の爪ヤスリと、上記第１の爪ヤスリとは異なる目の粗さを有する第２の爪ヤスリと、を備えることを特徴とする。
【０００７】
この爪切りにおいては、第１の爪ヤスリに加えて、当該第１の爪ヤスリとは異なる目の粗さを有する第２の爪ヤスリが設けられている。これにより、相異なる目の粗さを有する第１の爪ヤスリと第２の爪ヤスリとを適宜使い分けることが可能となる。このため、１種類の爪ヤスリしか設けられていない場合に比して、爪を手入れしやすくなる。
【発明の効果】
【０００８】
本発明によれば、爪の手入れに適した爪切りが実現される。
【図面の簡単な説明】
【０００９】
【図１】本発明による爪切りの第１実施形態を示す側面図である。
【図２】図１の爪切りを示す平面図である。
【図３】上板部材１０を示す平面図である。
【図４】下板部材２０を示す底面図である。
【図５】図１の爪切りにおいて上板部材１０上に操作レバー３０が重なった状態を示す側面図である。
【図６】図１の爪切りにおいて上刃１２と下刃２２とが接した状態を示す側面図である。
【図７】操作レバー３０を示す底面図である。
【図８】本発明による爪切りの第２実施形態を示す側面図である。
【図９】図８の爪切りを示す平面図である。
【図１０】図８の爪切りを示す底面図である。
【図１１】カバー部材５０の前端面を示す端面図である。
【図１２】図８の爪切りの効果を説明するための平面図である。
【図１３】爪ヤスリ４２及び爪ヤスリ４４の一変形例を説明するための平面図である。
【図１４】爪ヤスリ４２及び爪ヤスリ４４の他の変形例を説明するための底面図である。
【図１５】カバー部材５０の一変形例を説明するための側面図である。
【図１６】カバー部材５０の一変形例を説明するための側面図である。
【図１７】カバー部材５０の他の変形例を説明するための側面図である。
【図１８】カバー部材５０の他の変形例を説明するための側面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による爪切りの第１実施形態を示す側面図である。また、図２は、図１の爪切りを示す平面図である。爪切り１は、上板部材１０、下板部材２０、操作レバー３０、爪ヤスリ４２（第１の爪ヤスリ）、爪ヤスリ４４（第２の爪ヤスリ）、爪ヤスリ４６（第３の爪ヤスリ）を備えている。
【００１２】
上板部材１０及び下板部材２０は、長板状をしており、平面視（図２参照）で互いに重なっている。上板部材１０の長手方向と下板部材２０の長手方向とは、互いに等しい。上板部材１０及び下板部材２０の長さは、例えば、６〜１０ｃｍ程度である。また、上板部材１０及び下板部材２０の幅は、例えば、１〜２ｃｍ程度である。
【００１３】
上板部材１０は、上刃１２を有している。上板部材１０においては、その先端１０ａが鋭利に加工されており、当該先端１０ａが上刃１２を構成している。上刃１２は、爪を切る際、爪の上面に当接する。
【００１４】
下板部材２０は、下刃２２を有している。下板部材２０においては、その先端２０ａが鋭利に加工されており、当該先端２０ａが下刃２２を構成している。下刃２２は、爪を切る際、爪の下面に当接する。下板部材２０の先端２０ａは、平面視で、上板部材１０の先端１０ａに一致している。これらの先端１０ａ及び先端２０ａは、平面視で、弧状をしている。
【００１５】
上板部材１０の先端１０ａの近傍は、下板部材２０に向かって屈曲している。また、下板部材２０の先端２０ａの近傍は、上板部材１０に向かって屈曲している。これにより、上板部材１０の上刃１２と下板部材２０の下刃２２とが、互いに対向している。非使用時、すなわち上板部材１０が後述する下向きの力を受けていないとき、上刃１２と下刃２２とは、互いに離間している。
【００１６】
下板部材２０は、上板部材１０に接続されている。上板部材１０と下板部材２０とは、上板部材１０の後端１０ｂ及び下板部材２０の後端２０ｂにおいて互いに接続されている。具体的には、上板部材１０の後端１０ｂ及びその近傍領域と、下板部材２０の後端２０ｂ及びその近傍領域とが、互いに接合されている。下板部材２０の後端２０ｂは、平面視で、上板部材１０の後端１０ｂに一致している。上板部材１０及び下板部材２０の材料としては、例えば金属を用いることができる。
【００１７】
操作レバー３０は、梃子の原理により上板部材１０に下向きの力を与え、上刃１２が下刃２２に接するまで上板部材１０を変位させるものである。操作レバー３０は、長板状をしており、上板部材１０上に設けられている。操作レバー３０は、角部３２を有している。角部３２は、操作レバー３０の先端３０ａ寄りに設けられている。この角部３２は、梃子の原理における作用点となる部分である。操作レバー３０は、側面視（図１参照）で、角部３２を中心に操作レバー３０の後端３０ｂが円弧を描くように運動可能である。
【００１８】
操作レバー３０においては、その先端３０ａの近傍が梃子の原理の支点となるとともに、その後端３０ｂの近傍が梃子の原理の力点となる。平面視で、角部３２（作用点）は、支点と力点との間に位置する。ただし、角部３２から後端３０ｂまでの距離は、角部３２から先端３０ａまでの距離よりも長い。前者の距離は、後者の距離の５倍以上であることが好ましく、１０倍以上であることがより好ましい。操作レバー３０の材料としては、例えば金属を用いることができる。
【００１９】
操作レバー３０は、支軸３４に連結されている。具体的には、操作レバー３０の先端３０ａの近傍（上記支点となる部分）が、支軸３４に連結されている。支軸３４は、上板部材１０及び下板部材２０を貫通している。
【００２０】
図３は、上板部材１０を上面（下板部材２０に対向する面である下面とは反対の面）側から見た平面図である。また、図４は、下板部材２０を下面（上板部材１０に対向する面である上面とは反対の面）側から見た底面図である。上板部材１０及び下板部材２０には、それぞれ孔１４及び孔２４が形成されている。支軸３４は、これらの孔１４及び孔２４を通過するように設けられている。支軸３４の一部分（上端３４ａを含む部分）は、上板部材１０から上方に突出している。支軸３４の当該部分は、操作レバー３０の先端３０ａに形成された切欠部３６（図２参照）の内側に入り込んでいる。切欠部３６の内側において、支軸３４と操作レバー３０とがピン３８を介して互いに連結されている。ピン３８は、上板部材１０及び下板部材２０の左右方向（図１の紙面に垂直な方向）に延びている。
【００２１】
支軸３４の下端３４ｂの径は、下板部材２０の孔２４の径よりも大きい。この下端３４ｂは、下板部材２０の下面側に出ている。これにより、支軸３４が孔２４から抜け落ちないようになっている。ただし、支軸３４は、その中心軸周りに回転自在に設けられている。これにより、操作レバー３０と共に支軸３４を上記中心軸周りに１８０°回転させてから、ピン３８を中心に操作レバー３０を回転させることにより、図５に示すように、上板部材１０上に操作レバー３０を重ねることができる。このように爪切り１を変形させることにより、非使用時、爪切り１をコンパクトに収納することができる。支軸３４の材料としては、例えば金属を用いることができる。
【００２２】
図６に示すように、操作レバー３０の後端３０ｂの近傍（力点）に力を加えて操作レバー３０を押し下げることにより、角部３２（作用点）を通じて、上板部材１０に対して下向きの力Ｆを与えることができる。上板部材１０は、下向きの力Ｆを受けることにより、上刃１２が下刃２２に接するまで変位する。このように上刃１２と下刃２２とが接した状態において、これらの上刃１２及び下刃２２は、完全に重なり合う。すなわち、上刃１２の全体と下刃２２の全体とが、互いに重なる。爪切り１においては、上刃１２と下刃２２との隙間に爪の先端部を挿入した状態で操作レバー３０を押し下げることにより、上刃１２と下刃２２とで挟むようにして爪を切ることができる。
【００２３】
爪ヤスリ４２及び爪ヤスリ４４は、互いに異なる目の粗さを有している。具体的には、爪ヤスリ４２の方が比較的粗い目を有し、爪ヤスリ４４の方が比較的細かい目を有している。これらの爪ヤスリ４２及び爪ヤスリ４４の少なくとも一方は、操作レバー３０に設けられていることが好ましい。本実施形態においては、爪ヤスリ４２及び爪ヤスリ４４の双方が、操作レバー３０に設けられている。
【００２４】
爪ヤスリ４２及び爪ヤスリ４４は、操作レバー３０における相異なる面上に設けられている。操作レバー３０における使用時に上板部材１０に対向する面を対向面とし、操作レバー３０における対向面と反対側の面を非対向面としたとき、爪ヤスリ４２は、操作レバー３０の非対向面上に設けられている（図２参照）。他方、爪ヤスリ４４は、操作レバー３０の対向面上に設けられている（図７参照）。図７は、操作レバー３０を対向面側から見た底面図である。
【００２５】
爪ヤスリ４６は、爪ヤスリ４２及び爪ヤスリ４４とは異なる目の粗さを有している。爪ヤスリ４６の目は、爪ヤスリ４２の目より粗くてもよいし、爪ヤスリ４４の目より細かくてもよい。あるいは、爪ヤスリ４６の目は、爪ヤスリ４２の目より細かく、かつ爪ヤスリ４４の目より粗くてもよい。爪ヤスリ４６は、上板部材１０又は下板部材２０に設けられる。本実施形態において爪ヤスリ４６は、下板部材２０の下面上に設けられている（図４参照）。
【００２６】
爪切り１の効果を説明する。爪切り１においては、爪ヤスリ４２に加えて、爪ヤスリ４２とは異なる目の粗さを有する爪ヤスリ４４が設けられている。これにより、相異なる目の粗さを有する爪ヤスリ４２と爪ヤスリ４４とを適宜使い分けることが可能となる。このため、１種類の爪ヤスリしか設けられていない場合に比して、爪を手入れしやすくなる。したがって、爪の手入れに適した爪切り１が実現されている。
【００２７】
近年は、爪もファッションの一部という意識が高まっており、爪の手入れ（ネイルケア）に関心をもつ人が増えている。ところが、従来の爪切りでは、爪ヤスリが１種類しか設けられておらず、充分なネイルケアを行うことが難しかった。この点、爪切り１によれば、爪ヤスリを別途用意しなくても、複数種類の爪ヤスリ（爪ヤスリ４２，４４等）を駆使して充分なネイルケアを行うことができる。例えば、爪ヤスリ４２を用いて爪を整形した後、爪ヤスリ４４を用いて爪の艶出しをするということもできる。
【００２８】
爪ヤスリ４２及び爪ヤスリ４４は、操作レバー３０に設けられている。操作レバー３０は、爪の切片が飛散するのを防止するためのカバー部材が上板部材１０及び下板部材２０に取り付けられている場合であっても、当該カバー部材で覆われることなく露出する部分である。それゆえ、爪ヤスリ４２及び爪ヤスリ４４を操作レバー３０に設けることにより、これらの爪ヤスリ４２及び爪ヤスリ４４を使いやすいという利点が得られる。
【００２９】
爪ヤスリ４２及び爪ヤスリ４４は、操作レバー３０における相異なる面上に設けられている。この場合、爪ヤスリ４２及び爪ヤスリ４４を同一の面上に設ける場合に比して、各爪ヤスリ４２，４４を設ける領域を広くとることができる。
【００３０】
爪ヤスリ４２及び爪ヤスリ４４の一方が操作レバー３０の対向面上に設けられるとともに、他方が操作レバー３０の非対向面上に設けられている。この場合、爪ヤスリ４２及び爪ヤスリ４４を操作レバー３０の両側面に設ける場合に比して、各爪ヤスリ４２，４４を設ける領域を広くとりやすい。
【００３１】
爪ヤスリ４２及び爪ヤスリ４４のうち比較的細かい目を有する方（爪ヤスリ４４）が対向面上に設けられるとともに、比較的粗い目を有する方（爪ヤスリ４２）が非対向面上に設けられている。複数種類の爪ヤスリを用いて爪を整形する場合、通常、比較的粗い目を有する爪ヤスリ（爪ヤスリ４２）を先に使用する。このように先に使用される爪ヤスリ４２を非対向面に配置することにより、爪を切った直後に爪ヤスリ４２を使用しやすくなる。爪を切った直後の状態（図１に示す状態）において、操作レバー３０の非対向面側には、他の部材（上板部材１０及び下板部材２０等）が存在しないため、爪ヤスリ４２をかける爪を有する指を配置するスペースを確保しやすいからである。
【００３２】
爪切り１には、爪ヤスリ４２及び爪ヤスリ４４に加えて、爪ヤスリ４６も設けられている。これにより、３種類の爪ヤスリを使い分けることが可能となるため、爪の手入れを一層好適に行うことができる。
【００３３】
爪ヤスリ４６が上板部材１０又は下板部材２０に設けられる場合、爪ヤスリ４２及び爪ヤスリ４４の何れとも異なる面上に爪ヤスリ４６を設けることができる。これにより、各爪ヤスリ４２，４４，４６を設ける領域を広くとることができる。
【００３４】
爪ヤスリ４６は、下板部材２０の下面上に設けられている。下板部材２０の下面側には、他の部材（上板部材１０及び操作レバー３０等）が存在しないため、爪ヤスリ４６をかける爪を有する指を配置するスペースを確保しやすい。
（第２実施形態）
【００３５】
図８は、本発明による爪切りの第２実施形態を示す側面図である。また、図９及び図１０は、それぞれ、図８の爪切りを示す平面図及び底面図である。爪切り２は、上板部材１０、下板部材２０、操作レバー３０、爪ヤスリ４２、爪ヤスリ４４、爪ヤスリ４８（第４の爪ヤスリ）、及びカバー部材５０を備えている。上板部材１０、下板部材２０、操作レバー３０、爪ヤスリ４２及び爪ヤスリ４４の構成は、第１実施形態で説明したとおりである。
【００３６】
爪ヤスリ４８は、爪ヤスリ４２及び爪ヤスリ４４とは異なる目の粗さを有している。爪ヤスリ４８の目は、爪ヤスリ４２の目より粗くてもよいし、爪ヤスリ４４の目より細かくてもよい。あるいは、爪ヤスリ４８の目は、爪ヤスリ４２の目より細かく、かつ爪ヤスリ４４の目より粗くてもよい。爪ヤスリ４８は、カバー部材５０に設けられる。本実施形態において爪ヤスリ４８は、カバー部材５０の下面上に設けられている（図１０参照）。
【００３７】
カバー部材５０は、上板部材１０と下板部材２０との間の空間を左右両側から覆っている。このカバー部材５０は、爪の切片が飛散するのを防止するために設けられている。カバー部材５０は、上板部材１０の上面における操作レバー３０が接触していない部分の略全体を覆っている。さらに、カバー部材５０は、下板部材２０の下面の全体を覆っている。カバー部材５０は、上板部材１０及び下板部材２０から前方に延出している。そして、カバー部材５０は、上板部材１０及び下板部材２０の前方の空間を上下左右の四方から覆っている。カバー部材５０は、透明であることが好ましい。
【００３８】
カバー部材５０は、前側部材５２、及び後側部材５４を含んでいる。前側部材５２は、上板部材１０及び下板部材２０の前方から、上板部材１０及び下板部材２０に取り付けられる。前側部材５２は、上板部材１０及び下板部材２０における支軸３４の中心軸から前方の部分を覆っている。後側部材５４は、上板部材１０及び下板部材２０の後方から、上板部材１０及び下板部材２０に取り付けられる。後側部材５４は、上板部材１０及び下板部材２０における支軸３４の中心軸から後方の部分を覆っている。前側部材５２と後側部材５４とは、別体に設けられている。前側部材５２と後側部材５４とは、上板部材１０及び下板部材２０に取り付けられた状態で、互いに接している。
【００３９】
図１１は、カバー部材５０（前側部材５２）の前端面を示す端面図である。カバー部材５０の前端面には、指を挿入することが可能な開口５２ａが設けられている。開口５２ａの内寸幅ｄ１は、上板部材１０及び下板部材２０の幅よりも大きい。カバー部材５０の材料としては、例えばプラスチックを用いることができる。
【００４０】
爪切り２の効果を説明する。爪切り２には、爪ヤスリ４２及び爪ヤスリ４４に加えて、爪ヤスリ４８も設けられている。これにより、３種類の爪ヤスリを使い分けることが可能となるため、爪の整形を一層好適に行うことができる。
【００４１】
爪ヤスリ４８がカバー部材５０に設けられる場合、爪ヤスリ４２及び爪ヤスリ４４の何れとも異なる面上に爪ヤスリ４８を設けることができる。これにより、各爪ヤスリ４２，４４，４８を設ける領域を広くとることができる。
【００４２】
爪ヤスリ４８は、カバー部材５０の下面上に設けられている。カバー部材５０の下面側には、他の部材（操作レバー３０等）が存在しないため、爪ヤスリ４８をかける爪を有する指を配置するスペースを確保しやすい。
【００４３】
上板部材１０と下板部材２０との間の空間を左右両側から覆うカバー部材５０が設けられている。この場合、爪の切片を上記空間の中に閉じ込めることができる。これにより、爪の切片が飛散するリスクを低減することができる。
【００４４】
カバー部材５０は、上板部材１０及び下板部材２０から前方に延出している。これにより、爪の切片が上板部材１０及び下板部材２０の前方に飛散しにくくなる。特にカバー部材５０は、上板部材１０及び下板部材２０の前方の空間を上下左右の四方から覆っている。この場合、爪の切片を当該空間の中に閉じ込めることができる。
【００４５】
カバー部材５０には、開口５２ａが設けられている。図１２に示すように、開口５２ａに指９０を挿入することにより、指９０の爪を切る作業をカバー部材５０で覆われた空間内で行うことができる。これにより、爪の切片が飛散するリスクを一層低減することができる。
【００４６】
カバー部材５０が透明である場合、カバー部材５０の外からでもカバー部材５０内の指先を視認することができるため、上刃１２及び下刃２２に対する爪の位置合わせを容易に行うことができる。
【００４７】
カバー部材５０は、前側部材５２と後側部材５４とを含んでいる。これにより、簡易な構成で、上板部材１０及び下板部材２０に対して着脱可能なカバー部材５０を実現することができる。
【００４８】
前側部材５２と後側部材５４とは、別体に設けられている。これにより、前側部材５２の着脱と後側部材５４の着脱とを互いに独立して行うことができるため、カバー部材５０の着脱作業が容易となる。
【００４９】
前側部材５２と後側部材５４とは、上板部材１０及び下板部材２０に取り付けられた状態で、互いに接する。この場合、前側部材５２と後側部材５４とが離間している場合に比して、隙間が生じにくい。それゆえ、かかる構成は、爪の切片が飛散するのを防止するのに適している。爪切り２のその他の効果は、爪切り１と同様である。
【００５０】
本発明は、上記実施形態に限定されるものではなく、様々な変形が可能である。上記実施形態においては、爪ヤスリ４２及び爪ヤスリ４４が、操作レバー３０における相異なる面上に設けられた場合を例示した。しかし、爪ヤスリ４２及び爪ヤスリ４４は、図１３又は図１４に示すように、操作レバー３０における同一の面上に設けられてもよい。図１３においては、爪ヤスリ４２及び爪ヤスリ４４が操作レバー３０の非対向面上に設けられ、図１４においては爪ヤスリ４２及び爪ヤスリ４４が操作レバー３０の対向面上に設けられている。このように爪ヤスリ４２及び爪ヤスリ４４を同一の面上に設けた場合、爪ヤスリ４２と爪ヤスリ４４とを使い分ける際に、爪切りを持ち替えたり変形させたりする必要がないという利点がある。
【００５１】
上記実施形態においてカバー部材５０は、図１５及び図１６に示すように、開閉部材５６を含んでいてもよい。開閉部材５６の先端５６ａは、自由端であり、どこにも固定されていない。開閉部材５６の後端５６ｂは、固定端であり、後側部材５４の下面に固定されている。開閉部材５６の先端５６ａは、上板部材１０及び下板部材２０の前方に延出している。開閉部材５６においては、先端５６ａを上下動させることにより、先端５６ａが前側部材５２に接した状態（図１５に示す状態）と前側部材５２から離間した状態（図１６に示す状態）とが切り替えられる。前者の状態において開閉部材５６は、前側部材５２を下から支持する。かかる構成により、支軸３４の下端３４ｂに遮られることなく、支軸３４の後方から上板部材１０及び下板部材２０の前方まで開閉部材５６を延在させることができる。開閉部材５６の材料としては、例えばプラスチックを用いることができる。なお、爪ヤスリ４８は、開閉部材５６の下面上に設けられてもよい。その場合、爪ヤスリ４８は、開閉部材５６に対して着脱可能であってもよい。
【００５２】
上記実施形態においてカバー部材５０は、図１７及び図１８に示すように、スライド部材５８を含んでいてもよい。スライド部材５８は、後側部材５４の下面に沿って前後方向に変位するように構成されている。スライド部材５８を変位させることにより、先端５８ａが上板部材１０及び下板部材２０の前方に延出した状態（図１７に示す状態）と、先端５８ａが上板部材１０及び下板部材２０の前方に延出しない状態（図１８に示す状態）とが切り替えられる。前者の状態においてスライド部材５８は、前側部材５２を下から支持する。かかる構成により、支軸３４の下端３４ｂに遮られることなく、支軸３４の後方から上板部材１０及び下板部材２０の前方までスライド部材５８を延在させることができる。スライド部材５８の材料としては、例えばプラスチックを用いることができる。なお、爪ヤスリ４８は、スライド部材５８の下面上に設けられてもよい。その場合、爪ヤスリ４８は、スライド部材５８に対して着脱可能であってもよい。
【００５３】
上記実施形態においては、爪ヤスリ４２が操作レバー３０に設けられた場合を例示した。しかし、爪ヤスリ４２は、上板部材１０、下板部材２０又はカバー部材５０に設けられてもよい。爪ヤスリ４４についても同様である。
【符号の説明】
【００５４】
１  爪切り
２  爪切り
１０  上板部材
１０ａ  先端
１０ｂ  後端
１２  上刃
１４  孔
２０  下板部材
２０ａ  先端
２０ｂ  後端
２２  下刃
２４  孔
３０  操作レバー
３０ａ  先端
３０ｂ  後端
３２  角部
３４  支軸
３４ａ  上端
３４ｂ  下端
３６  切欠部
３８  ピン
４２  爪ヤスリ（第１の爪ヤスリ）
４４  爪ヤスリ（第２の爪ヤスリ）
４６  爪ヤスリ（第３の爪ヤスリ）
４８  爪ヤスリ（第４の爪ヤスリ）
５０  カバー部材
５２  前側部材
５２ａ  開口
５４  後側部材
５６  開閉部材
５６ａ  先端
５６ｂ  後端
５８  スライド部材
５８ａ  先端
９０  指
【図１】
2017140519.tif 000003
【図２】
2017140519.tif 000004
【図３】
2017140519.tif 000005
【図４】
2017140519.tif 000006
【図５】
2017140519.tif 000007
【図６】
2017140519.tif 000008
【図７】
2017140519.tif 000009
【図８】
2017140519.tif 000010
【図９】
2017140519.tif 000011
【図１０】
2017140519.tif 000012
【図１１】
2017140519.tif 000013
【図１２】
2017140519.tif 000014
【図１３】
2017140519.tif 000015
【図１４】
2017140519.tif 000016
【図１５】
2017140519.tif 000017
【図１６】
2017140519.tif 000018
【図１７】
2017140519.tif 000019
【図１８】
2017140519.tif 000020